(57)【要約】【課題】記録媒体に記録する際に記録媒体を安定した状態にすることができる記録媒体搬送装置及びこの記録媒体搬送装置を備えた記録装置を提供すること。【解決手段】記録媒体搬送面１２２上に供給される記録媒体を吸着する吸着部１２３、１２４、１２５は、負圧が部分的に変化するように形成されている。これにより、特定の吸着部の負圧を高めてその吸着部に対応する記録媒体の部位を安定吸着することができるので、記録後の記録媒体に搬送方向に延びるコックリングが発生しても、その影響が上記記録媒体の部位に及ぶことを防止することができる。【選択図】　　　図１
2004018151.tif 000002
【特許請求の範囲】
【請求項１】
記録媒体搬送面上に供給される記録媒体を吸着部で吸着しつつ搬送する記録媒体搬送装置であって、
前記吸着部は、負圧が部分的に変化するように形成されていることを特徴とする記録媒体搬送装置。
【請求項２】
前記吸着部は、記録ヘッドに対向する部位の負圧がその他の部位の負圧より高くなるように形成されていることを特徴とする請求項１に記載の記録媒体搬送装置。
【請求項３】
前記吸着部は、前記記録媒体の端部を最初に吸着する部位の負圧がその他の部位の負圧より高くなるように形成されていることを特徴とする請求項１または２に記載の記録媒体搬送装置。
【請求項４】
前記記録媒体搬送面に設けられた複数の吸引穴、前記複数の吸引穴と連通して負圧を調整する負圧調整孔、前記負圧調整孔と連通した減圧室及び前記減圧室内の空気を吸引する吸引手段を有し、前記吸引穴が、前記負圧調整孔と連通する吸引孔と、前記記録媒体と対向する吸引面の面積が前記吸引孔の断面積よりも大きい吸引室とを含む吸引ユニットを備えたことを特徴とする請求項１〜３の何れか一項に記載の記録媒体搬送装置。
【請求項５】
前記負圧調整孔は、負圧を高める部位の断面積がその他の部位の断面積より小さくなるように形成されていることを特徴とする請求項４に記載の記録媒体搬送装置。
【請求項６】
前記記録媒体搬送面に設けられた複数の吸引穴、前記複数の吸引穴のうち、負圧を高める部位及びその他の部位とそれぞれ連通した第１及び第２の減圧室、前記第１及び第２の減圧室内の空気をそれぞれ吸引する第１及び第２の吸引手段を有し、前記吸引穴が、前記減圧室と連通する吸引孔と、前記記録媒体と対向する吸引面の面積が前記吸引孔の断面積よりも大きい吸引室とを含む吸引ユニットを備えたことを特徴とする請求項１〜３の何れか一項に記載の記録媒体搬送装置。
【請求項７】
前記第１の吸引手段は、直列に配設された複数のファンを備えていることを特徴とする請求項６に記載の記録媒体搬送装置。
【請求項８】
請求項１〜７の何れか一項に記載の記録媒体搬送装置を備えたことを特徴とする記録装置。
【発明の詳細な説明】
【０００１】
【発明の属する技術分野】
本発明は、記録媒体を搬送する記録媒体搬送装置及びこの記録媒体搬送装置を備えた記録装置に関する。
【０００２】
【従来の技術】
従来より、記録装置の１つである例えばインクジェット式プリンタにおいては、記録媒体の１つである例えば用紙を用紙搬送装置により記録部に送り込みつつ記録して外部に送り出す構成のものがある。図１０（ａ）は、このようなインクジェット式プリンタにおける用紙搬送装置の主要部のみを抽出して示す図である。かかるインクジェット式プリンタにおいては、用紙１を紙送りローラ２及びその従動ローラ２ａで挟持して送りつつ記録ヘッド３で記録し、排紙ローラ４及びその従動ローラとしての拍車ローラ４ａで挟持して送って排出するようになっている。
【０００３】
【発明が解決しようとする課題】
上述した従来の用紙搬送装置を備えるインクジェット式プリンタでは、用紙１に例えばベタ画像等のように多数のインク滴が吐出される画像が記録される場合には、用紙１が多量のインクを吸収して、図１０（ｂ）に示すように、記録後に記録ヘッド３側に波状に膨らむ、いわゆるコックリングが発生する場合がある。そして、このコックリングが発生して発達すると、用紙１と記録ヘッド３との間隔が不均一になり、インク滴の飛翔距離がばらつくことにより記録むらが生じ、あるいは、用紙１が記録へッド３に接触して汚れてしまう不具合がある。
【０００４】
これらの不具合は、紙送りロ一ラ２及び排紙ローラ４間のスパンが比較的短かければ、上述したコックリングを許容範囲内に抑えることで極力防止することも可能である。しかしながら、インクジェット式プリンタ等においては、近い将来、記録速度の更なる高速化のために、各色ノズル列毎のノズル数を増やし、あるいは、用紙１の搬送方向に複数色のノズル列を並べる必要があり、これらの場合には、記録へッド３の寸法は、図１０（ｃ）に示すように、用紙１の搬送方向に長くなる。
【０００５】
そして、記録ヘッド３が長くなれば、紙送りローラ２と排紙ローラ４間のスパンも長くなるため、紙送りローラ２及びその従動ローラ２ａと排紙ローラ４及びその従動ローラとしての拍車ローラ４ａで挟んで搬送・排出する構成では、このコックリングを到底防止することができない。そして、コックリングは許容範囲を越えることとなり、そのようなヘッド長の大きいインクジェット式プリンタによっては、かかる２組のローラで挟んで搬送・排出する構成自体が成り立たなくなる事態も考えられる。
【０００６】
また、このようなコックリングは、用紙１としてインクジェット式プリンタの専用紙を用いた場合には比較的小さく、普通紙を用いた場合に大きくなる。このため、通常、インクジェット式プリンタ等の設計においては、普通紙を用いた場合のコックリングによる紙の浮き上がり分を考慮してぺーパーギャップ（図１０（ａ）における用紙１と記録へッド３との間隔Ａ）を大きくしてある。しかし、このように、ぺーパーギャップが大きいと、その必要のない専用紙を用いた場合にも、記録へッド３のノズルから吐出されたインク粒に飛行曲りを生じ、着弾点のズレがその分だけ大きくなり、記録品質の向上を妨げかねない。
【０００７】
一方、近年、主として用紙搬送面に中空箱状の吸引部を有し、この吸引部に設けられた複数の貫通した吸引穴を介して吸引ポンプ等で用紙を吸引するものが種々提案されている（特開昭６３−３０３７８１号公報、特開平３−２７０号公報等参照）。この中には、上述したコックリングを解消する手段として、用紙をそれら吸引穴を介してプラテン等に吸引乃至吸着することを提案するものもある。
【０００８】
しかし、いずれも中空箱状の吸引部にただ貫通穴が開いていて吸引するものだけであり、記録部内で用紙全面に亘って上述したコックリングを防止することは困難である。更に、上記公報に記載された従来例では、中空箱状の吸引部にただ貫通穴が開いていて吸引する構成であることから、吸引力が強すぎると紙送り精度の低下を招きかねない。このため、現状では、重力方向に紙送りを行う（紙送りに用紙の自重を利用する）ような一部の大判プリンタを除いて実用化されていないのが実情である。
【０００９】
本発明は、上記のような種々の課題に鑑みなされたものであり、その目的は、記録媒体に記録する際に記録媒体を安定した状態にすることができる記録媒体搬送装置及びこの記録媒体搬送装置を備えた記録装置を提供することにある。
【００１０】
【課題を解決するための手段】
上記目的達成のため、本発明の請求項１に係る記録媒体搬送装置では、記録媒体搬送面上に供給される記録媒体を吸着部で吸着しつつ搬送する記録媒体搬送装置であって、前記吸着部は、負圧が部分的に変化するように形成されていることを特徴としている。これにより、特定の吸着部の負圧を高めてその吸着部に対応する記録媒体の部位を安定吸着することができるので、記録後の記録媒体に搬送方向に延びるコックリングが発生しても、その影響が上記記録媒体の部位に及ぶことを防止することができる。
【００１１】
請求項２に係る発明では、請求項１に記載の記録媒体搬送装置において、前記吸着部は、記録ヘッドに対向する部位の負圧がその他の部位の負圧より高くなるように形成されていることを特徴としている。これにより、記録部において記録媒体を安定吸着することができるので、記録媒体と記録ヘッドとの間隔は均一となり、高精度記録を維持することができると共に、記録媒体と記録へッドとの接触は無くなり、記録媒体の汚染を防止することができる。
【００１２】
請求項３に係る発明では、請求項１または２に記載の記録媒体搬送装置において、前記吸着部は、前記記録媒体の端部を最初に吸着する部位の負圧がその他の部位の負圧より高くなるように形成されていることを特徴としている。これにより、特にカールし易い記録媒体の端部を安定吸着することができるので、記録媒体の端部と記録ヘッドとの間隔は均一となり、高精度記録を維持することができると共に、記録媒体の端部と記録へッドとの接触は無くなり、記録媒体の端部の汚染を防止することができる。
【００１３】
請求項４に係る発明では、請求項１〜３の何れか一項に記載の記録媒体搬送装置において、前記記録媒体搬送面に設けられた複数の吸引穴、前記複数の吸引穴と連通して負圧を調整する負圧調整孔、前記負圧調整孔と連通した減圧室及び前記減圧室内の空気を吸引する吸引手段を有し、前記吸引穴が、前記負圧調整孔と連通する吸引孔と、前記記録媒体と対向する吸引面の面積が前記吸引孔の断面積よりも大きい吸引室とを含む吸引ユニットを備えたことを特徴としている。請求項５に係る発明では、請求項４に記載の記録媒体搬送装置において、前記負圧調整孔は、負圧を高める部位の断面積がその他の部位の断面積より小さくなるように形成されていることを特徴としている。これにより、単純な構造の負圧調整孔を設けるのみで複数の吸引穴の負圧を調整することができるので、装置のコスト上昇を抑えることができる。
【００１４】
請求項６に係る発明では、請求項１〜３の何れか一項に記載の記録媒体搬送装置において、前記記録媒体搬送面に設けられた複数の吸引穴、前記複数の吸引穴のうち、負圧を高める部位及びその他の部位とそれぞれ連通した第１及び第２の減圧室、前記第１及び第２の減圧室内の空気をそれぞれ吸引する第１及び第２の吸引手段を有し、前記吸引穴が、前記減圧室と連通する吸引孔と、前記記録媒体と対向する吸引面の面積が前記吸引孔の断面積よりも大きい吸引室とを含む吸引ユニットを備えたことを特徴としている。請求項７に係る発明では、請求項６に記載の記録媒体搬送装置において、前記第１の吸引手段は、直列に配設された複数のファンを備えていることを特徴としている。これにより、高吸引力としたい吸引穴と通常の吸引力のままの吸引穴とを隔壁により仕切ることができるので、高吸引力としたい吸引穴の負圧を確実に高めることができる。
【００１５】
上記目的達成のため、本発明の請求項８に係る記録装置では、請求項１〜７の何れか一項に記載の記録媒体搬送装置を備えたことを特徴としている。これにより、上述した各作用効果を奏する記録装置を提供することができる。
【００１６】
【発明の実施の形態】
以下、図面に基づいて本発明の実施の形態について詳細に説明する。
【００１７】
図１は、本発明の第１の実施形態に係る記録媒体搬送装置を示す側面図である。この記録媒体搬送装置１００は、記録時に記録媒体を吸引保持する吸引ユニット１１０と、吸引ユニット１１０の上流側から下流側へ記録媒体を搬送する記録媒体搬送手段１５０とを備えている。上記吸引ユニット１１０は、記録媒体に記録するための記録へッド２３１に対して、記録媒体搬送路Ｌを挟んで下側に配置されている。そして、上段の吸引部１２０と下段の吸引力発生部１３０から成る上下２段構成の中空箱状に形成されている。
【００１８】
吸引部１２０は、内部に形成された減圧室１２１及びこの減圧室１２１と連通する負圧調整孔１２５と、図２に示すように記録媒体搬送面１２２にそれぞれ略矩形の凹みとして形成された複数の吸引室１２３と、これら吸引室１２３をそれぞれ負圧調整孔１２５と連通させるべく、上下方向に伸長する上記吸引室１２３より小さい断面積を有する複数の吸引孔１２４とを有している。
【００１９】
負圧調整孔１２５は、複数の吸引室１２３の負圧を調整する機能を有する。すなわち、負圧を高めたい吸引室１２３から延びる吸引孔１２４と連通する負圧調整孔１２５の断面積は、その他の吸引室１２３から延びる吸引孔１２４と連通する負圧調整孔１２５の断面積よりも小さくなるように形成されている。この例での負圧調整孔１２５は、記録へッド２３１に対向する吸引室１２３と、記録媒体の端部を最初に吸着する吸引室１２３、すなわち吸引ユニット１１０の最上流側に位置する吸引室１２３の各負圧が、その他の吸引室１２３の負圧より高くなるように形成されている。
【００２０】
ここで、負圧調整孔１２５の断面積を変化させることにより、吸引室１２３の負圧を調整することができる理由について図４を参照して説明する。図４に示すように、負圧調整孔１２５において▲１▼の箇所の断面積は▲２▼の箇所の断面積よりも小さく形成されている。そして、▲１▼の箇所の断面積をＳ１、流速をＵ１、静圧をＰ１、▲２▼の箇所の断面積をＳ２、流速をＵ２、静圧をＰ２とすると、次式（１）が成り立つ。
Ｐ２＋ρＵ２２／２＝Ｐ１＋ρＵ１２／２…（１）
したがって、▲１▼の箇所から▲２▼の箇所へ移行するときの減圧量ΔＰは、次式（２）で表される。
ΔＰ＝Ｐ２−Ｐ１＝ρ（Ｕ１２−Ｕ２２）／２…（２）
ここで、全流量をＱとすると、流速Ｕ１、流速Ｕ２は次式（３）で表される。
Ｕ１＝Ｑ／Ｓ１、Ｕ２＝Ｑ／Ｓ２…（３）
したがって、減圧量ΔＰは、上式（２）、（３）から次式（４）で表される。
ΔＰ＝Ｐ２−Ｐ１＝ρ（（Ｑ／Ｓ１）２−（Ｑ／Ｓ２）２）／２…（４）
上式（４）において、Ｑ／Ｓ１はＱ／Ｓ２より大きい値であるので、減圧量ΔＰは常に正となり、▲１▼の箇所の負圧は▲２▼の箇所の負圧より高くなる。
【００２１】
吸引力発生部１３０は、吸引部１２０の減圧室１２１と連通孔１３１を介して連通されており、内部に遠心ファンを備えたポンプ１３２を有している。ポンプ１３２は、減圧室１２１の下方の所定位置に連通孔１３１を介して減圧室１２１と連通した状態で取り付けられており、遠心ファンが記録時に回転するようになっている。
【００２２】
記録媒体搬送手段１５０は、記録媒体を記録へッド２３１と吸引ユニット１１０の間に送り込む送りローラ１５１と、この送りローラ１５１に対して上方から圧接される従動ローラ１５２と、記録媒体を外部へ排出する排出ローラ１５３と、この排出ローラ１５３に対して上方から接触される拍車ローラ１５４を備えている。尚、吸引ユニット１１０を排出方向へ移動可能な構成とすることにより、排出ローラ１５３と拍車ローラ１５４を設けないことも可能である。
【００２３】
以上のように、吸引穴を吸引孔１２４と吸引室１２３で構成し、さらに吸引孔１２４を小径の貫通孔により形成することで、ポンプ１３２の特性に対して利用できる負圧の利用率を高めると共に、吸引室１２３を吸引孔１２４より面積の大きい略矩形の凹みとして形成することで、記録媒体に対して大きな吸引力を発生できるようになっている。
【００２４】
また、記録へッド２３１に対向する吸引室１２３を、その他の吸引室１２３の負圧より高くなるようにしているので、記録へッド２３１に対向する記録媒体の部位を安定吸着することができ、記録後の記録媒体に搬送方向に延びるコックリングが発生しても、その影響が上記記録媒体の部位に及ぶことを防止することができる。そして、記録媒体と記録ヘッド２３１との間隔は均一となり、高精度記録を維持することができると共に、記録媒体と記録へッド２３１との接触は無くなり、記録媒体の汚染を防止することができる。
【００２５】
さらに、記録媒体の端部を最初に吸着する吸引室１２３、すなわち吸引ユニット１１０の最上流側に位置する吸引室１２３の各負圧を、その他の吸引室１２３の負圧より高くなるようにしているので、特にカールし易い記録媒体の端部を安定吸着することができ、記録媒体の端部と記録ヘッド２３１との間隔は均一となり、高精度記録を維持することができると共に、記録媒体の端部と記録へッド２３１との接触は無くなり、記録媒体の端部の汚染を防止することができる。
【００２６】
なお、図１に示す実施形態では、記録へッド２３１に対向する吸引室１２３と、記録媒体の端部を最初に吸着する吸引室１２３、すなわち吸引ユニット１１０の最上流側に位置する吸引室１２３の各負圧が、その他の吸引室１２３の負圧より高くなるように調整したが、これに限定されるものではなく、任意の箇所の吸引室１２３の負圧を調整することが可能である。
【００２７】
このような構成の記録媒体搬送装置１００は、以下のように動作する。送りローラ１５１等が回転駆動して、記録媒体を記録ヘッド２３１と吸引ユニット１１０との間に送り込む。一方、ポンプ１３２が駆動して、吸引力を連通孔１３１、減圧室１２１及び負圧調整孔１２５を介して吸引孔１２４と吸引室１２３に作用させる。これにより、記録媒体は、先ず先端部が吸引ユニット１１０の最上流側に位置する吸引室１２３に強い吸引力で吸着されて平坦にされ、続いて記録へッド２３１に対向する吸引室１２３に強い吸引力で吸着されて搬送される。
【００２８】
これと同時に、記録へッド２３１が、記録媒体の上方を主走査方向に移動しながら記録媒体に対してインク粒を吐出して記録を行う。これにより、記録後の記録媒体にコックリングが発生する場合があるが、記録へッド２３１に対向する記録媒体の部位は安定吸着されているので、コックリングの影響が上記記録媒体の部位に及ぶことはない。そして、排出ローラ１５３等が回転駆動して、記録が終了した記録媒体を外部へ排出する。
【００２９】
図３は、本発明の第２の実施形態に係る記録媒体搬送装置を図１に対応させて示す側面図であり、図１に示す記録媒体搬送装置１００と同一構成要素には同一符号を付して、その説明は省略する。この記録媒体搬送装置１６０は、図１に示す負圧調整孔１２５は形成されておらず、代わりに隔壁を介して２つに分割された第１減圧室１２１ａ、第２減圧室１２１ｂと、各減圧室１２１ａ、１２１ｂと連通する第１連通孔１３１ａ、第２連通孔１３１ｂが形成され、さらに各減圧室１２１ａ、１２１ｂの下方の所定位置に各連通孔１３１ａ、１３１ｂを介して各減圧室１２１ａ、１２１ｂと連通した状態で取り付けられた第１ポンプ１３２ａ、第２ポンプ１３２ｂを備えている点で、図１に示す記録媒体搬送装置１００と異なる構成となっている。
【００３０】
第１減圧室１２１ａは、負圧を高めたい吸引室１２３から延びる吸引孔１２４、すなわち記録へッド２３１に対向する吸引室１２３から延びる吸引孔１２４と、記録媒体の端部を最初に吸着する吸引室１２３、すなわち吸引ユニット１１０の最上流側に位置する吸引室１２３から延びる吸引孔１２４と連通するように形成され、第２減圧室１２１ｂは、その他の吸引室１２３から延びる吸引孔１２４と連通するように形成されている。
【００３１】
そして、第１減圧室１２１ａに作用する第１ポンプ１３２ａは、２基のファンが直列となるように配設され、第２減圧室１２１ｂに作用する第２ポンプ１３２ｂは、１基のファンが配設されている。このように、２基のファンが直列となるように配設した第１ポンプ１３２ａを用いることにより、図５に示すように、２基のファンが並列となるように配設したポンプと比べて流量は低下するが高い負圧を得ることができ、記録へッド２３１に対向する吸引室１２３と、記録媒体の端部を最初に吸着する吸引室１２３、すなわち吸引ユニット１１０の最上流側に位置する吸引室１２３との各負圧をその他の吸引室１２３の負圧よりも高めることができる。
【００３２】
なお、図３に示す実施形態では、記録へッド２３１に対向する吸引室１２３と、記録媒体の端部を最初に吸着する吸引室１２３、すなわち吸引ユニット１１０の最上流側に位置する吸引室１２３の各負圧が、その他の吸引室１２３の負圧より高くなるように調整したが、これに限定されるものではなく、任意の箇所の吸引室１２３の負圧を調整することが可能である。また、２基のファンが直列となるように配設した第１ポンプ１３２ａを用いたが、これに限定されるものではなく、複数基のファンが直列となるように配設したポンプを用いることも可能である。
【００３３】
図６は、本発明の記録媒体搬送装置を備えた記録装置としてのインクジェット式プリンタを示す斜視図、図７〜図９は、その主要部を示す平面図、正面図及び側面図である。このインクジェット式プリンタ２００は、プリンタ本体２１０の後方上部に斜めに取り付けられた自動給紙（ＡＳＦ）ユニット２２０と、プリンタ本体２１０に内蔵された記録部２３０及び記録媒体搬送装置１００を備えている。記録媒体としては、インクジェット式プリンタ２００の専用紙、普通紙の他、ＯＨＰフィルム、トレーシングペーパ一、ハガキ等各種のものを用いることができる。
【００３４】
なお、この実施形態では、排出ローラ１５３と拍車ローラ１５４が不要な、排出方向へ移動可能な吸引ユニット１１０を有し、図１に示す負圧調整孔１２５を有する記録媒体搬送装置１００を備えたインクジェット式プリンタ２００としているが、図３に示す第１減圧室１２１ａ、第２減圧室１２１ｂと、連通孔１３１ａ、１３１ｂと、ポンプ１３２ａ、１３２ｂを有し、さらには図１及び図３に示す排出ローラ１５３と拍車ローラ１５４を有する記録媒体搬送装置１００、１６０も同様に適用可能である。
【００３５】
ＡＳＦユニット２２０は、用紙１を収容するトレイ２２１と、このトレイ２２１から用紙１を引き出して供給する給紙ローラ２２２等を備えている。記録部２３０は、記録ヘッド２３１及びインクカートリッジ２３２が搭載されたキャリッジ２３３と、このキャリッジ２３３を主走査方向に配設されたガイド軸２３４に沿って移動させるＤＣモータ２３５等を備えている。記録ヘッド２３１は、例えばシアン、マゼンタ、イエロー、ライトシアン、ライトマゼンタ、ライトイエロー、ブラックの各色毎に、例えば９６個等複数のノズルから成るノズル列を有している。
【００３６】
このような構成のインクジェット式プリンタ２００は、以下のように動作する。図示しないホストコンピュータ等によりトレイ２２１に収容されている用紙１に対する記録命令が入力されると、給紙ローラ２２２が回転駆動して、トレイ２２１に収容されている用紙１を１枚ずつピックアップして給紙する。さらに、送りローラ１５２等が回転駆動して、用紙１を記録ヘッド２３１と吸引ユニット１１０との間に送り込む。
【００３７】
一方、ポンプ１３２が駆動して、吸引力を連通孔１３１、減圧室１２１及び負圧調整孔１２５を介して吸引孔１２４と吸引室１２３に作用させる。そして、用紙１の先端部を吸引ユニット１１０の最上流側に位置する吸引室１２３に強い吸引力で吸着して平坦にし、続いて記録へッド２３１に対向する吸引室１２３に強い吸引力で吸着して搬送する。これと同時に、ＤＣモータ２３５が駆動して、タイミングベルトを介してキャリッジ２３３をガイド軸２３４に沿って移動させる。
【００３８】
このとき、記録へッド２３１は、インクカートリッジ２３２から各色毎に供給されるインクを記録データに応じて複数のノズルの全部又は一部から微小なインク滴として用紙１上に吐出して記録する。これにより、記録後の用紙１にコックリングが発生する場合があるが、記録へッド２３１に対向する用紙１の部位は安定吸着されているので、コックリングの影響が上記用紙１の部位に及ぶことはない。そして、吸引ユニット１１０が排出方向へ移動して、記録が終了した用紙１を排紙口２０１から外部へ排紙する。
【００３９】
【発明の効果】
以上説明したように、本発明に係る記録媒体の搬送装置及び記録装置によれば、特定の吸着部の負圧を高めてその吸着部に対応する記録媒体の部位を安定吸着することができるので、記録後の記録媒体に搬送方向に延びるコックリングが発生しても、その影響が上記記録媒体の部位に及ぶことを防止することができる。したがって、記録媒体と記録ヘッドとの間隔を最小限にかつ均一にして安定した搬送を行うことができるので、記録精度を向上させることができるとともに、記録媒体と記録へッドとの接触による汚染を防止することができる。
【図面の簡単な説明】
【図１】本発明の第１の実施形態に係る記録媒体搬送装置を示す側面図である。
【図２】図１の記録媒体搬送装置の記録媒体搬送面を示す平面図である。
【図３】本発明の第２の実施形態に係る記録媒体搬送装置を示す側面図である。
【図４】図１の記録媒体搬送装置における負圧調整を説明するための図である。
【図５】図３の記録媒体搬送装置における負圧調整を説明するための図である。
【図６】本発明の記録媒体搬送装置を備えた記録装置としてのインクジェット式プリンタを示す斜視図である。
【図７】図６のインクジェット式プリンタの主要部を示す平面図である。
【図８】図６のインクジェット式プリンタの主要部を示す正面図である。
【図９】図６のインクジェット式プリンタの主要部を示す側面図である。
【図１０】従来のインクジェット式プリンタにおける用紙搬送装置の主要部のみを抽出して示す図である。
【符号の説明】
１　　　　用紙
１００　　記録媒体搬送装置
１１０　　吸引ユニット
１２０　　吸引部
１２１　　減圧室
１２１ａ　第１減圧室
１２１ｂ　第２減圧室
１２２　　記録媒体搬送面
１２３　　吸引室
１２４　　吸引孔
１２５　　負圧調整孔
１３０　　吸引力発生部
１３１　　連通孔
１３１ａ　第１連通孔
１３１ｂ　第２連通孔
１３２　　ポンプ
１３２ａ　第１ポンプ
１３２ｂ　第２ポンプ
１５０　　記録媒体搬送手段
１５１　　送りローラ
１５２　　従動ローラ
１５３　　排出ローラ
１５４　　拍車ローラ
１６０　　記録媒体搬送装置
２００　　インクジェット式プリンタ
２１０　　プリンタ本体
２２０　　ＡＳＦユニット
２２１　　トレイ
２２２　　給紙ローラ
２３０　　記録部
２３１　　記録ヘッド
２３２　　インクカートリッジ
２３３　　キャリッジ
２３４　　ガイド軸
２３５　　ＤＣモータ
【図１】
2004018151.tif 000003
【図２】
2004018151.tif 000004
【図３】
2004018151.tif 000005
【図４】
2004018151.tif 000006
【図５】
2004018151.tif 000007
【図６】
2004018151.tif 000008
【図７】
2004018151.tif 000009
【図８】
2004018151.tif 000010
【図９】
2004018151.tif 000011
【図１０】
2004018151.tif 000012